(57)【要約】【課題】平型電線とコネクタの端子とを安定的に接続させることを目的とする。【解決手段】本発明のコネクタ１は、前記端子６０は、上下方向に延びる基部６２と、後上ビーム６４と、前上ビーム６８と、後下ビーム７４と、前下ビーム７８と、を備え、前記アクチュエーター４０は、前記後上ビームを上方に押し上げるカム部４６を含み、前記後下ビームは固定部７６を含み、前記前下ビームは、前記平型電線に接触する、上方に突出した接触点７８ａと、前記ハウジング８の底部１８の上面１８ａに接触する前下ビームの下面の前端７８ｂ１と、を含み、前記接触点は、前記前下ビームの下面の前端７８ｃよりも後方側に位置し、前記前下ビームと前記後下ビームは、前記後上ビームが上方に押し上げられることにより、前記前下ビームの下面の前端と前記固定部を支点として上方に湾曲する、ことを特徴とする。【選択図】図５
2015128010.tif 000002
【特許請求の範囲】
【請求項１】
端子とアクチュエーターと前記端子を収納するハウジングとを有する、平型電線が挿入可能なコネクタであって、
前記端子は、
上下方向に延びる基部と、
前記基部の上端から後方に延びる後上ビームと、
前記後上ビームが上方に押し上げられることにより下方に傾いて前記平型電線に接触する、前記基部の上端から前方に延びる前上ビームと、
前記基部の下端から後方に延びる後下ビームと、
前記基部の下端から前方に延びる前下ビームと、
を備え、
前記アクチュエーターは、前記後下ビームと前記後上ビームとの間に配置されて前記後上ビームを上方に押し上げるカム部を含み、
前記後下ビームは、前記後下ビームの後端に、外部の回路基板に固定するための固定部を含み、
前記前下ビームは、
前記平型電線に接触する、上方に突出した接触点と、
前記ハウジングの底部の上面に接触する前下ビームの下面の前端と、
を含み、
前記接触点は、前記前下ビームの下面の前端よりも後方側に位置し、
前記前下ビームと前記後下ビームは、前記後上ビームが上方に押し上げられることにより、前記前下ビームの下面の前端と前記固定部を支点として上方に湾曲する、
ことを特徴とするコネクタ。
【請求項２】
請求項１に記載のコネクタであって、
前記ハウジングは、前記後上ビームが上方に押し上げられることにより、前記ハウジングの底部の後端が、前記ハウシングの底部の前端よりも上方に位置するように傾斜し、
前記ハウジングの底部の上面後端と前記後下ビームとの間に、前記ハウジングの傾斜を許容する隙間が設けられている、
ことを特徴とするコネクタ。
【請求項３】
請求項２に記載のコネクタであって、
前記隙間が、少なくとも前記ハウジングの底部の後端から、前記カムと前記基部の下端の間まで延びている、
ことを特徴とするコネクタ。
【請求項４】
請求項２または請求項３に記載のコネクタであって、
前記隙間が、前記ハウジングの底部の上面が凹んでいることにより構成されている、
ことを特徴とするコネクタ。
【請求項５】
ハウジングと、
前記ハウジング内に収納される端子と、
アクチュエーターと、
を備え、
前記ハウジングは、
前記端子を収納する、前記ハウジングの左右の側面を構成する左右の側壁と前記ハウジングの上面を構成する天板とを有する収納部と、
前記左右の側壁から前記収納部の後方へそれぞれ延びる左右のアクチュエーター保持部と、
を含み、
前記端子は、
後方に延びる後上ビームと、
前記後上ビームの下方に位置して後方に延びる、上方に突出する凸状のストッパーを有する後下ビームと、
を含み、
前記アクチュエーターは、
前記左右アクチュエーター保持部の間に配置され、
前記後下ビームと前記後上ビームとの間に配置されるカム部と前記左右のアクチュエーター保持部側に突出する左右の第１の仮止め部とを含み、
前記アクチュエーター保持部は、前記アクチュエーター側に突出する第２の仮止め部を含み、
前記第２の仮止め部は、前記第１の仮止め部が前記第２の仮止め部の前方にあるときに、前記第１の仮止め部の後方向への動きを規制し、
前記第２の仮止め部の前方に、前記天板の前端から前記第２の仮止め部の前端まで延びる溝が形成されている、
ことを特徴とするコネクタ。
【請求項６】
請求項５に記載のコネクタであって、
前記天板を前方から見た場合に、前記溝の内側に前記第２の仮止め部の前端が見えることを特徴とするコネクタ。
【請求項７】
ハウジングと、
前記ハウジング内に収納される端子と、
アクチュエーターと、
を備え、
前記ハウジングは、
前記端子を収納する、前記ハウジングの左右の側面を構成する左右の側壁と前記ハウジングの上面を構成する天板とを有する収納部と、
前記左右の側壁から前記収納部の後方へそれぞれ延びる左右のアクチュエーター保持部と、
を含み、
前記端子は、
後方に延びる後上ビームと、
前記後上ビームの下方に位置して後方に延びる、上方に突出する凸状のストッパーを有する後下ビームと、
を含み、
前記アクチュエーターは、
前記後下ビームと前記後上ビームの間の、前記ストッパーの前方に配置されるカム部を含み、
前記左右アクチュエーター保持部の間に配置されて、前記アクチュエーター保持部により上方向の動きが規制される、
ことを特徴とするコネクタ。
【請求項８】
請求項７に記載のコネクタであって、
前記アクチュエーターが、前記アクチュエーター保持部側に突出する第１の凸部を含み、
前記アクチュエーター保持部が、前記アクチュエーター側に突出する第２の凸部を含み、
前記第１の凸部が前記第２の凸部に係合することにより、前記アクチュエーターの上方向の動きが規制される、
ことを特徴とするコネクタ。
【発明の詳細な説明】
【技術分野】
【０００１】
本発明はコネクタに関する。
【背景技術】
【０００２】
電子機器の小型化に伴い、ＦＦＣやＦＰＣなどの平型電線が挿入可能なコネクタの小型化が求められている。コネクタは、ハウジングと、ハウジング内に収納される端子と、端子が平型電線に圧接するように端子を動かすためのアクチュエーターと、を有している。
【０００３】
端子は、上下方向に延びる基部と、基部の前方に延びる前上ビームと前下ビーム、基部の後方に延びる後上ビームと後下ビームとを有している。これら後上ビームと後下ビームとの間には、アクチュエーターのカム部が配置される。
【０００４】
このようなコネクタとしては、特許文献１に、カム部が後上ビームと後下ビームとの間で回転することにより後上ビームは押し上げられる構成が開示されている。後上ビームが押し上げられることにより前上ビームは基部を支点として弾性的に下方に傾き、前上ビームと前下ビームとの間隔が狭まる。これにより、前上ビームは平型電線の表面に押し付けられて、平型電線は前上ビームと前下ビームによって挟まれた状態で固定される。
【先行技術文献】
【特許文献】
【０００５】
【特許文献１】特許第４８９７９１７号公報
【発明の概要】
【発明が解決しようとする課題】
【０００６】
しかし、コネクタの小型化が進むにつれて、前上ビームと基部との間隔が小さくなることにより、基部を支点とした前上ビームの傾きが小さくなる。このため前上ビームと前下ビームの、平型電線に対する接圧が小さくなり、コネクタにより平型電線を安定して保持することができないという問題があった。
【０００７】
本発明は、このような事情に鑑みてなされたものであって、平型電線とコネクタの端子とを安定的に接続させることを第１の目的とする。
【０００８】
また、本発明は、アクチュエーターをハウジング及び端子に組み付ける過程でアクチュエーターがハウジング及び端子から外れることを防止するための構造を、簡単に成形できるコネクタを提供することを第２の目的とする。
【０００９】
また、本発明は、アクチュエーターを端子に組み付けた後に、端子からアクチュエーターが外れることを簡易な構成により規制することを第３の目的とする。
【課題を解決するための手段】
【００１０】
本出願において開示される発明のうち、代表的なものの概要を簡単に説明すれば、以下の通りである。
【００１１】
（１）本発明のコネクタは、端子とアクチュエーターと前記端子を収納するハウジングとを有する、平型電線が挿入可能なコネクタであって、前記端子は、上下方向に延びる基部と、前記基部の上端から後方に延びる後上ビームと、前記後上ビームが上方に押し上げられることにより下方に傾いて前記平型電線に接触する、前記基部の上端から前方に延びる前上ビームと、前記基部の下端から後方に延びる後下ビームと、前記基部の下端から前方に延びる前下ビームと、を備え、前記アクチュエーターは、前記後下ビームと前記後上ビームとの間に配置されて前記後上ビームを上方に押し上げるカム部を含み、前記後下ビームは、前記後下ビームの後端に、外部の回路基板に固定するための固定部を含み、前記前下ビームは、前記平型電線に接触する、上方に突出した接触点と、前記ハウジングの底部の上面に接触する前下ビームの下面の前端と、を含み、前記接触点は、前記前下ビームの下面の前端よりも後方側に位置し、前記前下ビームと前記後下ビームは、前記後上ビームが上方に押し上げられることにより、前記前下ビームの下面の前端と前記固定部を支点として上方に湾曲する、ことを特徴とする。本発明によれば、本構成を有さないコネクタと比べ、平型電線に対する接圧を保つことができるため、平型電線とコネクタの端子とを安定的に接続させることができる。
【００１２】
（２）本発明のコネクタは、（１）において、前記ハウジングは、前記後上ビームが上方に押し上げられることにより、前記ハウジングの底部の後端が、前記ハウシングの底部の前端よりも上方に位置するように傾斜し、前記ハウジングの底部の上面後端と前記後下ビームとの間に、前記ハウジングの傾斜を許容する隙間が設けられていてもよい。
【００１３】
（３）本発明のコネクタは、（２）において、前記隙間が、少なくとも前記ハウジングの底部の後端から、前記カムと前記基部の下端の間まで延びていてもよい。
【００１４】
（４）本発明のコネクタは、（２）または（３）において、前記隙間が、前記ハウジングの底部の上面が凹んでいることにより構成されていてもよい。
【００１５】
（５）本発明のコネクタは、ハウジングと、前記ハウジング内に収納される端子と、アクチュエーターと、を備え、前記ハウジングは、前記端子を収納する、前記ハウジングの左右の側面を構成する側壁と前記ハウジングの上面を構成する天板とを有する収納部と、前記左右の前記側壁から前記収納部の後方へそれぞれ延びる左右アクチュエーター保持部と、を含み、前記端子は、後方に延びる後上ビームと、前記後上ビームの下方に位置して後方に延びる、上方に突出する凸状のストッパーを有する後下ビームと、を含み、前記アクチュエーターは、前記左右アクチュエーター保持部の間に配置され、前記後下ビームと前記後上ビームとの間に配置されるカム部と前記左右のアクチュエーター保持部側に突出する左右の第１の仮止め部とを含み、前記アクチュエーター保持部は、前記アクチュエーター側に突出する第２の仮止め部を含み、前記第２の仮止め部は、前記第１の仮止め部が前記第２の仮止め部の前方にあるときに、前記第１の仮止め部の後方向への動きを規制し、前記第２の仮止め部の前方に、前記天板の前端から前記第２の仮止め部の前端まで延びる溝が形成されている、ことを特徴とする。本発明によれば、本構成を有さないコネクタと比べ、アクチュエーターのカム部が、端子のストッパーと後上ビームの間に位置するときの、カム部の後ろ方向への動きが規制されるため、アクチュエーターをハウジング及び端子に組み付ける過程でアクチュエーターがハウジング及び端子から外れることを防止するための構造を、簡単に成形することができる。
【００１６】
（６）本発明のコネクタは、（５）において、前記天板を前方から見た場合に、前記溝の内側に前記第２の仮止め部の前端が見えてもよい。
【００１７】
（７）本発明のコネクタは、ハウジングと、前記ハウジング内に収納される端子と、アクチュエーターと、を備え、前記ハウジングは、前記端子を収納する、前記ハウジングの左右の側面を構成する左右の側壁と前記ハウジングの上面を構成する天板とを有する収納部と、前記左右の側壁から前記収納部の後方へそれぞれ延びる左右のアクチュエーター保持部と、を含み、前記端子は、後方に延びる後上ビームと、前記後上ビームの下方に位置して後方に延びる、上方に突出する凸状のストッパーを有する後下ビームと、を含み、前記アクチュエーターは、前記後下ビームと前記後上ビームの間の、前記ストッパーの前方に配置されるカム部を含み、前記左右アクチュエーター保持部の間に配置されて、前記アクチュエーター保持部により上方向の動きが規制される、ことを特徴とする。本発明によれば、本構成を有さないコネクタと比べ、アクチュエーターが端子から外れないように保持するための部品が不要となるため、アクチュエーターを端子に組み付けた後に、端子からアクチュエーターが外れることを簡易な構成により規制することができる。
【００１８】
（８）本発明のコネクタは、（７）において、前記アクチュエーターが、前記アクチュエーター保持部側に突出する第１の凸部を含み、前記アクチュエーター保持部が、前記アクチュエーター側に突出する第２の凸部を含み、前記第１の凸部が前記第２の凸部に係合することにより、前記アクチュエーターの上方向の動きが規制されてもよい。
【図面の簡単な説明】
【００１９】
【図１】図１は、本発明のコネクタを示す斜視図である。
【図２】図２は、図１に示すハウジングを示す斜視図である。
【図３】図３は、図１に示すアクチュエーターを示す斜視図である。
【図４】図４は、図１に示すコネクタのＩＶ−ＩＶ切断線における断面図である。
【図５】図５は、図４に示すコネクタのアクチュエーターを回転させた状態を示す断面図である。
【図６】図６は、ハウジングにアクチュエーターを取り付ける工程を、図１と同様の方向から見た斜視図である。
【図７Ａ】図７Ａは、図６に示すハウジングとアクチュエーターを上方から見た平面図である。
【図７Ｂ】図７Ｂは、図７Ａに示すハウジングとアクチュエーターのＶＩＩＢ−ＶＩＩＢ切断線における断面図である。
【図８Ａ】図８Ａは、ハウジングにアクチュエーターを取り付ける工程を、図７Ａと同様の方向から見た平面図である。
【図８Ｂ】図８Ｂは、図８Ａに示すハウジングとアクチュエーターのＶＩＩＩＢ−ＶＩＩＩＢ切断線における断面図である。
【図９】図９は、図３に示すアクチュエーターのＩＸ領域の部分拡大図である。
【発明を実施するための形態】
【００２０】
以下、本実施形態に係るコネクタの構成について、図面に基づいて説明する。なお、以下の説明において参照する図面は、特徴をわかりやすくするために便宜上特徴となる部分を拡大して示している場合があり、各構成要素の寸法比率などは実際と同じであるとは限らない。また、以下の説明において例示される材料等は一例であって、各構成要素はそれらと異なっていてもよく、その要旨を変更しない範囲で変更して実施することが可能である。
【００２１】
図１は、本発明のコネクタ１を示す斜視図であり、図２は、図１に示すハウジング８を示す斜視図であり、図３は、図１に示すアクチュエーター４０を示す斜視図であり、図４は、図１に示すコネクタ１のＩＶ−ＩＶ切断線における断面図であり、図５は、図４に示すコネクタ１のアクチュエーター４０を回転させた状態を示す断面図である。
【００２２】
本実施形態におけるコネクタ１は、ＦＰＣやＦＦＣなどの平型電線が挿入可能なコネクタである。図１、図４に示すように、コネクタ１は、端子６０と、アクチュエーター４０と、端子６０を収納するハウジング８と、を有している。以下、これらの各構成について詳細を説明する。
【００２３】
なお、以下の説明においては、図１においてハウジング８の側面（後述する収納部１０の側壁１２，１４）が配置される方向を左右方向（Ｘ１、Ｘ２方向）とし、ハウジング８の上面（後述する天板１６）が配置される方向を上方向（Ｚ１方向）とし、その反対側を下方向（Ｚ２方向）とし、アクチュエーター４０が配置される方向を後方（Ｙ２方向）とし、その反対側を前方（Ｙ１方向）とする。なお、Ｙ（Ｙ１、Ｙ２）方向とＸ（Ｘ１、Ｘ２）方向は、平面視（Ｚ１方向から見た角度）で直交する。
【００２４】
ハウジング８は樹脂などの絶縁体によって形成されており、図２に示すように端子６０を収納する収納部１０と、左右アクチュエーター保持部３０と、を有している。
【００２５】
図２、図４に示すように、収納部１０は、ハウジング８の左右方向（Ｘ１、Ｘ２方向）の側面を構成する側壁１２，１４と、ハウジング８の上面を構成する天板１６と、ハウジング８の下面を構成する底部１８と、を有している。また、図２に示すように、ハウジング８は、左右の側壁１２，１４から収納部１０の後方（Ｙ２方向）へそれぞれ延びる左右アクチュエーター保持部３０を有している。
【００２６】
アクチュエーター保持部３０は、アクチュエーター４０を、左右のアクチュエーター保持部３０の間に保持する部分である。図２に示すように、アクチュエーター保持部３０は、アクチュエーター４０側に突出する第２の仮止め部３２と第２の凸部３４を有しているが、それらの詳細な構成については、説明の便宜上後述する。
【００２７】
また、ハウジング８は図４に示すように、後方（Ｙ２方向）に、端子６０が挿入される開口２０が設けられ、前方（Ｙ１方向）には図示しない平型電線が挿入される開口２２が設けられている。
【００２８】
アクチュエーター４０は、端子６０を弾性変形させる部材であり、例えば樹脂からなる。アクチュエーター４０は、図２、図４に示すように左右アクチュエーター保持部３０の間に配置される。
【００２９】
アクチュエーター４０は、図３、図４に示すようにカム部４６と、操作部４８と、前後方向（Ｙ１、Ｙ２方向）に貫通する孔部５０と、アクチュエーター保持部３０側（Ｘ１、Ｘ２方向側）に突出する第１の仮止め部４２と、第１の凸部４４と、を有している。以下、アクチュエーター４０の各構成について、端子６０の構成と併せて説明するが、第１の仮止め部４２と、第１の凸部４４の詳細な構成については、説明の便宜上後述する。
【００３０】
図４に示すように、端子６０は、上下方向（Ｚ１，Ｚ２方向）に延びる基部６２と、基部６２の上端６２ａから後方（Ｙ２方向）に延びる棒状の後上ビーム６４と、基部６２の上端６２ａから前方（Ｙ１方向）に延びる棒状の前上ビーム６８と、基部６２の下端６２ｂから後方（Ｙ２方向）に延びる棒状の後下ビーム７４と、基部６２の下端６２ｂから前方（Ｙ１方向）に延びる棒状の前下ビーム７８と、を備えている。
【００３１】
基部６２は、上方のビーム（後上ビーム６４、前上ビーム６８）と下方のビーム（後下ビーム７４、前下ビーム７８）を接続する部分である。なお、基部６２と上方のビーム（後上ビーム６４、前上ビーム６８）との境界（基部６２の上下方向に延びる部分の上端）を上端６２ａとし、基部６２と下方のビーム（後下ビーム７４、前下ビーム７８）との境界（基部６２の上下方向に延びる部分の下端）を下端６２ｂとする。
【００３２】
また、基部６２の上方には、上方（Ｚ１方向）に突出する爪部６３が形成されている。この爪部６３が、図４に示すようにハウジング８の天板１６に引っ掛かることにより、端子６０はハウジング８に固定される。
【００３３】
後上ビーム６４は、アクチュエーター４０のカム部４６により上方（Ｚ１方向）に押し上げられる部分である。後上ビーム６４は、アクチュエーター４０に設けられた孔部５０に嵌っている。
【００３４】
後下ビーム７４は、後上ビーム６４の下方（Ｚ２方向）に位置し、後上ビーム６４と上下方向（Ｚ１，Ｚ２方向）で向き合っている。後下ビーム７４は、下面７４ｂが前後方向（Ｙ１、Ｙ２方向）に真っすぐに延在する部分であるストレート部分７４ａと、上方（Ｚ１方向）に突出する凸状のストッパー７５と、外部の図示しない回路基板に固定される固定部７６と、を有している。
【００３５】
ストッパー７５は、ストレート部分７４ａの後方（Ｙ２方向）に設けられている。ストッパー７５は、アクチュエーター４０のカム部４６の後方（Ｙ２方向）に位置し、ストッパー７５の前面７５ａにカム部４６の後端（下端）４６ａが位置している。
【００３６】
固定部７６は、ストッパー７５よりも後方（Ｙ２方向）に設けられている。固定部７６は、ストレート部分７４ａの後端７４ａ１から下方（Ｚ２方向）に湾曲した形状であり、固定部７６は、ハウジング８の底部１８の後端１８ｂよりも後方（Ｙ２方向）に位置している。
【００３７】
また、固定部７６の下面７６ａは、底部１８の下面１８ｄよりも下方（Ｚ２方向）に位置する。このため、固定部７６の前面７６ｂは底部１８の後端１８ｂの後方（Ｙ２方向）に位置し、端子部６０の前方向（Ｙ１方向）への動きを規制する。また、固定部７６の下面７６ａは図示しない回路基板上に、半田によって固定される。
【００３８】
また、図４に示すように、後下ビーム７４と、ハウジング８の底部１８の上面１８ａとの間には、隙間Ｃが設けられていることが好ましい。具体的には、後下ビーム７４の下面を下面７４ｂ、底部１８のうち、後下ビーム７４の下方に位置する部分の上面を上面１８ａ１とすると、底部１８の上面１８ａ１と後下ビーム７４の下面７４ｂとが離間した構成となる。なお、この隙間Ｃの大きさや位置については、説明の便宜上後述する。
【００３９】
また、後下ビーム７４と後上ビーム６４との間には、アクチュエーター４０のカム部４６が配置されている。カム部４６は、後上ビーム６４と後下ビーム７４との間で回転することによって、後上ビーム６４を上方（Ｚ１方向）に押し上げる部分である。なお、カム部４６の回転による作用については、説明の便宜上後述する。
【００４０】
前上ビーム６８は、後上ビーム６４が上方（Ｚ１方向）に押し上げられることにより下方（Ｚ２方向）に傾いて平型電線に接触するビームである。前上ビーム６８は、下方（Ｚ２方向）に突出する接触点６８ａを有している。接触点６８ａは、ハウジング８内に図示しない平型電線が挿入されて、カム部４６が後上ビーム６４を上方に押し上げることにより、平型電線の上面に接触する。
【００４１】
前下ビーム７８は、前上ビーム６８との間に平型電線を挟むビームである。前下ビーム７８は、上方（Ｚ１方向）に突出した接触点７８ａを有している。接触点７８ａは、ハウジング８内に図示しない平型電線が挿入されることにより、平型電線の下面に接触する。
【００４２】
前下ビーム７８の下面７８ｂは、ハウジング８の底部１８の上面１８ａに接触している。下面７８ｂの前端を前端７８ｂ１とし、前下ビーム７８の前端を前端７８ｃとすると、前端７８ｂ１は前端７８ｃよりも後方（Ｙ２方向）側に位置し、接触点７８ａは、前端７８ｂ１よりも後方（Ｙ２方向）側に位置している。
【００４３】
なお、本実施形態における「前端７８ｂ１」とは、前下ビーム７８の下面７８ｂのうち、底部１８の上面１８ａに接する部分の前端を示す。すなわち、前端７８ｂ１は、下面７８ｂが底部１８の上面１８ａに接する部分と、下面７８ｂが底部１８の上面１８ａから離れる部分との境界となる。
【００４４】
次いで、端子６０の後上ビーム６４が、アクチュエーター４０のカム部４６によって上方（Ｚ１方向）に押し上げられた際の、端子６０の作用について、詳細を説明する。作業者が図４に示す状態のアクチュエーター４０の操作部４８を後方（Ｙ２方向）に倒すことにより、図５に示すようにカム部４６が後上ビーム６４と後下ビーム７４との間で回転する。
【００４５】
カム部４６の後端４６ａから前端４６ｂまでの幅は、後上ビーム６４と後下ビーム７４の間隔よりも大きい。このため、カム部４６が後端４６ａを支点として回転すると、前端４６ｂが上方（Ｚ１方向）に移動して、後上ビーム６４を上方（Ｚ１方向）に押し上げる。
【００４６】
このように後上ビーム６４が上方（Ｚ１方向）に押し上げられることにより、前上ビーム６８に対し、基部６２の上端６２ａを支点として下方（Ｚ２方向）に押下げる力が作用する。これにより、図４、５に示すように前上ビーム６８は下方（Ｚ２方向）に傾く。
【００４７】
また、後上ビーム６４が上方（Ｚ１方向）に押し上げられる力が基部６２を介して後下ビーム７４に伝わる。この際、後下ビーム７４の固定部７６の下面７６ａは図示しない回路基板に固定されているため、後下ビーム７４を上方（Ｚ１方向）に持ち上げる力は、固定部７６よりも前方（Ｙ１方向）の部分に作用する。このため、後下ビーム７４は、固定部７６の下面７６ａが支点として固定された状態で、基部６２の下端６２ｂを作用点として上方（Ｚ１方向）に反る。
【００４８】
同様に、前下ビーム７８にも、カム部４６により後上ビーム６４が上方（Ｚ１方向）に押し上げられることにより、端子６０全体に反時計回りのモーメント（図４、５において反時計回り）が作用する。しかし、固定部７６は図示しない回路基板に固定されているため、基部６２は後方向（Ｙ２方向）に傾く。これにより、前下ビーム７８と後下ビーム７４は上方（Ｚ１方向）に湾曲する（反る）。
【００４９】
これにより、前下ビーム７８の前方（Ｙ１）側は、下方（Ｚ２方向）側に押下がり、前下ビーム７８は、下面７８ｂの前端７８ｂ１を支点として、基部６２の下端６２ｂ側が上方（Ｚ１方向）に湾曲した状態となる。
【００５０】
このように、本実施形態におけるコネクタ１は、後上ビーム６４がカム部４６により上方（Ｚ１方向）に押し上げられることで、基部６２の下端６２ｂの下面６２ｃが、前下ビーム７８の下面７８ｂの前端７８ｂ１及び後下ビーム７４の固定部７６の下面７６ａよりも上方（Ｚ１方向）に位置するように湾曲する。
【００５１】
これにより、端子６０の下方のビーム（後下ビーム７４、前下ビーム７８）は、前下ビーム７８の下面７８ｂの前端７８ｂ１と後下ビーム７４の固定部７６を支点として、上方（Ｚ１）方向に湾曲する。
【００５２】
このため、コネクタ１は、本構成を有さないコネクタと比べ、後下ビーム７４のうち、下面７８ｂの前端７８ｂ１と後下ビーム７４の固定部７６との間の部分の位置が上方（Ｚ１方向）側となる。また、前下ビーム７８の接触点７８ａは前端７８ｂ１よりも後方（Ｙ２）側に位置するため、この湾曲により、接触点７８ａの位置は本構成を有さないコネクタと比べ上方（Ｚ１方向）側となる。
【００５３】
よって、コネクタ１の前下ビーム７８の接触点７８ａと、前上ビーム６８の接触点６８ａとの間隔は、本構成を有さないコネクタと比べて小さくなる。このため、平型電線に対する、前上ビーム６８と前下ビーム７８による接圧が大きくなり、コネクタ１により平型電線を安定して固定することができる。
【００５４】
また、本実施形態におけるコネクタ１は、このような構成を有することにより、コネクタ１を小型化しても、平型電線に対する接圧を保つことができる。このため、コネクタ１の小型化を実現することができる。
【００５５】
また、本実施形態におけるコネクタ１は、図５に示すように後下ビーム７４の固定部７６の下面７６ａが図示しない回路基板に固定され、コネクタ６０は爪部６３によりハウジング８に固定されている。このため、後上ビーム６４が上方（Ｚ１方向）に押し上げられることで端子６０全体に反時計回りのモーメント（図４、５において反時計回り）が作用すると、このモーメントは爪部６３またはその近傍においてハウジング８に加えられる。
【００５６】
これにより、ハウジング８の底部１８の後端１８ｂが、ハウシングの底部１８の前端１８ｃよりも上方（Ｚ１方向）に位置するように傾斜する。本実施形態におけるコネクタ１は、後下ビーム７４と、ハウジング８の底部１８の上面１８ａとの間に隙間Ｃが設けられているため、このハウジング８の傾斜は、隙間Ｃにより許容される。
【００５７】
なお、本実施形態における隙間Ｃの後端は、後下ビーム７４のストレート部分７４ａの後端７４ａ１と底部１８の上面１８ａ１の間の部分となり、隙間Ｃには、後下ビーム７４の湾曲した部分（固定部７６の前面７６ｂからストレート部分７４ａの後端７４ａ１の間の湾曲部分）は含まれない。よって、隙間Ｃは、ストレート部分７４ａの後端７４ａ１から、その前方（Ｙ１方向側）にかけて形成されている。なお、隙間Ｃは、少なくともストレート部分７４ａの後端７４ａ１と底部１８の上面１８ａ１の間に設けられていればよい。
【００５８】
ハウジング８の傾斜と隙間Ｃの関係について具体的に説明すると、ハウジング８の底部１８が傾斜することにより、底部１８の上面１８ａの後端１８ａ２側が上方に移動する。ここで、隙間Ｃが設けられていることにより、底部１８の上面１８ａは隙間Ｃを埋めるように傾斜することができる。このため、本実施形態におけるコネクタ１は、隙間Ｃが設けられていないコネクタと比べ、底部１８の上面１８ａが後下ビーム７４の下面７４ｂに接触することによる、底部１８の傾斜への規制が緩和される。このため、ハウジング８の傾斜を大きくすることができる。
【００５９】
このようにハウジング８の傾斜が大きくなることにより、後上ビーム６４とハウジング８が接触することによる、後上ビーム６４の傾斜への規制が緩和される。このため、本構成を有さないコネクタと比べ、後上ビーム６４と前上ビーム６８の傾斜を大きくすることができる。
【００６０】
また、後上ビーム６４と前上ビーム６８の傾斜が大きくなることにより、基部６２を介して後下ビーム７４と前下ビーム７８へ作用する力も大きくなる。さらに、隙間Ｃが設けられていることにより、後下ビーム７４の後端７４ａ１が底部１８の上面１８ａ１に接することによる、後下ビーム７４の湾曲への規制が緩和される。
【００６１】
このため、基部６２の下端６２ｂの下面６２ｃと、前下ビーム７８の下面７８ｂの前端７８ｂ１及び後下ビーム７４の固定部７６の下面７６ａとの高さの差が、本構成を有さない構成の場合と比べて大きくなる。すなわち、前下ビーム７８と後下ビーム７４が大きく湾曲する。
【００６２】
このため、本発明のコネクタ１は、本構成を有さないコネクタと比べて、コネクタ１の前下ビーム７８の接触点７８ａと、前上ビーム６８の接触点６８ａとの間隔を、より小さくすることができる。このため、コネクタ１により平型電線を安定して固定することができるとともに、コネクタ１の小型化を実現することができる。
【００６３】
なお、隙間Ｃは、図５に示すように、少なくともハウジングの底部１８の後端１８ｂよりも前方から、カム部４６と基部６２の下端６２ｂとの間まで延びていることが好ましい。隙間Ｃがこのような長さで延びていることにより、ハウジング８の傾斜に対する規制が緩和されやすくなる。
【００６４】
このため、ハウジング８の傾斜を大きくすることができ、前上ビーム６８と後上ビーム６４と前下ビーム７８と後下ビーム７４の湾曲を大きくすることができる。このため、コネクタ１により平型電線を安定して固定することができるとともに、コネクタ１の小型化を実現することができる。
【００６５】
なお、前下ビーム７８と後下ビーム７４とが湾曲しているとき、後下ビーム７４は基部６２から後方（Ｙ２方向）かつ下方（Ｚ２方向）に延びている。前下ビーム７８，後下ビーム７４が湾曲しているときに後下ビーム７４とハウジング８の底部１８とが干渉するのを避けるために、隙間Ｃは、基部６２の下端６２ｂの後方（Ｙ２方向）側まで延びていることが好ましい。
【００６６】
具体的には、隙間Ｃの前端が、基部６２の下端６２ｂよりも後方（Ｙ２方向）に位置し、かつ、下端６２ｂに近ければ近いほど好ましい。このような構成を有することにより、ハウジング８の傾斜を最大限大きくすることができ、前上ビーム６８と後上ビーム６４と前下ビーム７８と後下ビーム７４の湾曲を大きくすることができる。
【００６７】
また、隙間Ｃの前後方向（Ｙ１、Ｙ２方向）の長さや、下方向（Ｚ２方向）の深さは、ハウジング８の強度と、各ビームの望ましい湾曲幅との兼ね合いから適宜決定すればよい。
【００６８】
なお、前下ビーム７８の下面７８ｂと、後下ビーム７４の下面７４ｂは、その前後方向（Ｙ１、Ｙ２方向）の断面図において、直線形状であることが好ましい。このような構成を有することにより、各ビーム（前下ビーム７８、後下ビーム７４）が均一に湾曲しやすくなる。
【００６９】
なお、隙間Ｃは、図５に示すように、ハウジング８の底部１８の上面１８ａが凹むことにより構成されていることが好ましい。このような構成を有することにより、後下ビーム７４の下面７４ｂの直線形状と強度を保ったまま、本発明の効果を得ることができる。
【００７０】
なお、隙間Ｃは、底部１８の上面１８ａが凹むことにより構成されていることが好ましいが、後下ビーム７４の下面７４ｂが上方（Ｚ１方向）に凹むことにより構成されたものであってもよい。
【００７１】
次いで、アクチュエーター４０の第１の仮止め部４２と第１の凸部４４、及び、アクチュエーター保持部３０の第２の仮止め部３２と第２の凸部３４の詳細な構成と、アクチュエーター４０をハウジング８に取り付ける際における、これら構成の作用について図面を用いて説明する。
【００７２】
図６は、ハウジング８にアクチュエーター４０を取り付ける（組み付ける）工程を、図１と同様の方向から見た斜視図であり、図７Ａは、図６に示すハウジング８とアクチュエーター４０を上方（Ｚ１方向）から見た平面図であり、図７Ｂは、図７Ａに示すハウジング８とアクチュエーター４０のＶＩＩＢ−ＶＩＩＢ切断線における断面図であり、図８Ａは、ハウジング８にアクチュエーター４０を取り付ける工程を、図７Ａと同様の方向から見た平面図であり、図８Ｂは、図８Ａに示すハウジング８とアクチュエーター４０のＶＩＩＩＢ−ＶＩＩＩＢ切断線における断面図であり、図９は、図３に示すアクチュエーター４０のＩＸ領域の部分拡大図である。
【００７３】
なお、アクチュエーター４０をハウジング８に組み付ける工程は、カム部４６がストッパー７５と後上ビーム６４との間を通過できるように、アクチュエーター４０を配置する工程と、アクチュエーター４０を前方（Ｙ１方向）に移動させる工程と、を有する。また、前方（Ｙ１方向）移動させたアクチュエーター４０を下方（Ｚ２方向）に移動させることにより、アクチュエーター４０は図１、４に示すように、端子６０に嵌る。以下、各構成と、各工程における各構成の作用について順次説明する。
【００７４】
はじめに、アクチュエーター４０の第１の仮止め部４２と第１の凸部４４、及び、アクチュエーター保持部３０の第２の仮止め部３２と第２の凸部３４の詳細な構成について説明する。
【００７５】
図６、図９に示すように、アクチュエーター４０の左右方向（Ｘ１、Ｘ２方向）の側面４１には、アクチュエーター保持部３０側に突出する第１の仮止め部４２と第１の凸部４４とが設けられている。
【００７６】
図９に示すように、第１の仮止め部４２は、アクチュエーター４０の側面４１からアクチュエーター保持部３０側（図９においてはＸ１方向側）に突出した凸状の構成を有している。第１の仮止め部４２は、アクチュエーター４０が組み付けられる過程でアクチュエーター保持部３０の第２の仮止め部３２に掛止することにより、アクチュエーター４０の後ろ方向（Ｙ２方向）への動きを規制する部分である。
【００７７】
第１の仮止め部４２の後方（Ｙ２方向側）の面を第１の後面４２ａとし、前方（Ｙ１方向側）の面を前面４２ｂとすると、前面４２ｂと側面４１がなす角度は、第１の後面４２ａと側面４１がなす角度よりも小さいことが好ましい。具体的には、アクチュエーター４０を上方向（Ｚ１方向）から見た場合に、前面４２ｂと側面４１がなす角度は鋭角となる。
【００７８】
このような構成を有することにより、第１の仮止め部４２の前面４２ｂが第２の仮止め部３２に接触することによる、アクチュエーター４０の前方（Ｙ１方向）への移動の規制が緩和される。このため、第１の仮止め部４２を第２の仮止め部３２に掛止させやすくなる。
【００７９】
第１の凸部４４は、第１の仮止め部４２の下方（Ｚ２方向）側に設けられている。第１の凸部４４は、アクチュエーター保持部３０の第２の凸部３４に係合する部分である。第１の凸部４４は、アクチュエーター４０の側面４１からアクチュエーター保持部３０側に突出した凸状の構成を有している。
【００８０】
第１の凸部４４のアクチュエーター保持部３０側の面４４ｃ（図９においてはＸ１方向側の面）は、第１の仮止め部４２のアクチュエーター保持部３０側の面４２ｃよりもアクチュエーター保持部３０側に位置する。
【００８１】
第１の凸部４４の上側（Ｚ１方向側）の面を上面４４ｄとすると、上面４４ｄが第１の仮止め部４２の面４２ｃとなす角度は、垂直に近いほど好ましい。このような構成を有することにより、第１の凸部４４の上面４４ｄが第２の凸部の３４の下面３４ｄに掛止しやすくなり、アクチュエーター４０の上方向（Ｚ１方向）への位置ずれを防ぐことができる。
【００８２】
また、図２、図７Ａ、７Ｂに示すように、アクチュエーター保持部３０のアクチュエーター４０側の側面には、アクチュエーター４０側に突出する第２の仮止め部３２と、第２の凸部３４とが設けられている。
【００８３】
図２に示すように、第２の仮止め部３２は、アクチュエーター保持部３０からアクチュエーター４０側に突出した凸状の構成を有している。第２の仮止め部３２は、アクチュエーター４０がコネクタに組み付けられる過程でアクチュエーター４０の第１の仮止め部４２に掛止することにより、アクチュエーター４０の後ろ方向（Ｙ２方向）への動きを規制する部分である。
【００８４】
図２、図７Ａに示すように、第２の仮止め部３２のＹ１方向側の前端を前端（前面）３２ａとし、前端３２ａよりも後方（Ｙ２方向）の側面を斜面３２ｂとすると、斜面３２ｂと側壁１２，１４がなす角度は、ハウジング８を上方向（Ｚ１方向）から見た場合に鋭角であることが好ましい。
【００８５】
このような構成を有することにより、第１の仮止め部４２の前面４２ｂが第２の仮止め部３２の斜面３２ｂに接触することによる、アクチュエーター４０の前方への移動の規制が緩和される。このため、第１の仮止め部４２を第２の仮止め部３２に掛止させやすくなる。
【００８６】
次いで、カム部４６がストッパー７５と後上ビーム６４との間を通過できるように、アクチュエーター４０を配置する工程と、アクチュエーター４０を前方（Ｙ１方向）に移動させる工程における、第１の仮止め部４２と第２の仮止め部３２の作用について説明する。まず、図６に示すように、アクチュエーター４０の第１の仮止め部４２の上下方向（Ｚ１、Ｚ２方向）の位置と、端子６０が収納されたハウジング８の第２の仮止め部３２の上下方向の位置が対応するように位置合わせを行う。
【００８７】
次いで、図６，７Ａ，７Ｂに示すように、矢印の方向（Ｙ１方向）にアクチュエーター４０を移動させる。そして、図８Ａに示すように、第１の仮止め部４２の後端（後面）４２ａを、第２の仮止め部３２の前端（前面）３２ａよりも前方（Ｙ１方向）に配置させる。これにより、図８Ｂに示すように、カム部４６は、端子６０のストッパー７５よりも前方（Ｙ１方向）且つ上方（Ｚ１方向）で且つ後上ビーム６４の下方（Ｚ２方向）に配置される。
【００８８】
このようにアクチュエーター４０を移動させる際、左右の第２の仮止め部３２の斜面３２ｂ同士の間隔は、第１の仮止め部４２の左右の面４２ｃ同士の間隔よりも小さいため、第２の仮止め部３２の斜面３２ｂと、第１の仮止め部４２の前面４２ｂは接触した状態（接圧が保たれた状態）となる。
【００８９】
このため、第１の仮止め部４２の後端４２ａが、第２の仮止め部３２の前端３２ａよりも前方（Ｙ１方向）に移動するまでの間、アクチュエーター４０は、第１の仮止め部４２が第２の仮止め部３２の斜面３２ｂに入れ込まれた状態となる。この移動の間は、第２の仮止め部３２と第１の仮止め部４２との間の接圧が加わることにより、アクチュエーター４０が湾曲してもよい。
【００９０】
そして、図８Ａ，８Ｂに示すように、第１の仮止め部４２の後端４２ａが、第２の仮止め部３２の前端３２ａよりも前方（Ｙ１方向）に移動することにより、第２の仮止め部３２の斜面３２ｂと、第１の仮止め部４２の前面４２ｂが離れるため、アクチュエーター４０に加えられていた接圧が失われる。
【００９１】
これにより、アクチュエーター４０の左右方向（Ｘ１，Ｘ２方向）の幅は、接圧が加えられる前の幅に戻り、第１の仮止め部４２のアクチュエーター保持部３０側の面４２ｃは、第２の仮止め部３２の斜面３２ｂの後端３２ｂ１よりも外側（Ｘ１、Ｘ２方向側）となる。
【００９２】
このため、第１の仮止め部４２の後端４２ａと第２の仮止め部３２の前端３２ａは、図８Ａに示すように、平面視（Ｚ１方向から見た平面）で前後方向（Ｙ１，Ｙ２方向）に、少なくとも一部が重なり、第１の仮止め部４２の後方（Ｙ２方向）への動きが規制される。
【００９３】
本実施形態におけるコネクタ１は、以上のように、第１の仮止め部４２が第２の仮止め部３２の前方（Ｙ１方向）にあるときに、第１の仮止め部４２の後方（Ｙ２方向）向への動きが規制される。
【００９４】
このため、アクチュエーター４０のカム部４６が、端子６０のストッパー７５と後上ビーム６４の間に位置するときの、カム部４６の後ろ方向（Ｙ２方向）への動きが規制される。これにより、アクチュエーター４０のハウジング８への仮止めの際に、カム部４６が端子６０から抜けてしまうことが防がれる。
【００９５】
なお、本実施形態におけるコネクタ１は、図６、８Ａに示すように、第２の仮止め部３２の前方（Ｙ１方向）に、天板１６の前端１６ａから第２の仮止め部３２の前端３２ａまで前後方向（Ｙ１，Ｙ２方向）に延びる溝Ｄが形成されている。この溝Ｄは、第２の仮止め部３２を形成する際に設けられる凹みである。
【００９６】
第２の仮止め部３２は、ハウジング８を成形する際に、第２の仮止め部３２の前端３２ａの所望の位置に合わせて図示しない金型を配置することにより形成される。この際、前端３２ａの位置に合わせて金型の後端（図のＹ２方向側の端）が配置されるため、成形された天板１６には、金型の位置に対応して、天板１６の前端１６ａから第２の仮止め部３２の前端３２ａまで前後方向に延びる溝Ｄが形成される。
【００９７】
また、溝Ｄはこのように形成されることにより、天板１６を前方（Ｙ１方向）から見た場合に、溝Ｄの内側に第２の仮止め部３２の前端３２ａが見える構成となる。
【００９８】
本実施形態におけるコネクタ１は、このような構成を有することにより、第２の仮止め部３２を、第２仮止め部３２の前端３２ａを形成する金型と、第２の仮止め部３２の斜面３２ｂを形成する金型との２つにより形成可能である。従来はハウジング８に仮止め部を形成するためには、少なくとも３つ以上の金型が必要であった。一方、本実施形態のコネクタ１においては、上記の構成を有することにより、必要な金型の種類と、仮止めに必要な構成の成形における工程を簡略化することができる。このため、コネクタ１の形成における費用を抑えることができる。
【００９９】
また、本実施形態におけるコネクタ１は、第２の仮止め部３２を、前後方向（Ｙ１，Ｙ２方向）に延在する１つの金型を用いて形成可能である。このため、ハウジングの開口２０、２２を形成するための金型を利用して、第２の仮止め部３２を形成することができる。このため、第２の仮止め部３２形成における工程や金型の種類を簡略化することができる。
【０１００】
また、本実施形態におけるコネクタ１は、第２の仮止め部３２が天板１６と一体形成されるため、例えば棒状や凸状の仮止め部が別途形成されたコネクタと比べ、第２の仮止め部３２の強度を高めることができる。
【０１０１】
次いで、図１、図４に示すように、アクチュエーター４０のカム部４６を端子６０のストッパー７５の前方（Ｙ１方向）に配置する際における、第１の凸部４４と第２の凸部３４の作用について説明する。
【０１０２】
カム部４６をストッパー７５の前方（Ｙ１方向）に配置するには、図８Ａ、図８Ｂに示すように、カム部４６が、端子６０のストッパー７５と後上ビーム６４の間に位置した状態から、図４に示すように、カム部４６の後端４６ａがストッパー７５の前面７５ａに位置するまでアクチュエーター４０を下方（Ｚ２方向）に押下げる。
【０１０３】
このようにアクチュエーター４０を移動させる際、左右の第２の凸部３４同士の間隔は、左右の第１の凸部４４の面４４ｃ同士の間隔よりも小さいため、第２の凸部３４と、第１の凸部４４の面４４ｃは接触した状態（接圧が保たれた状態）となる。
【０１０４】
このため、図９に示す第１の凸部４４の上面４４ｄが、図１、図２に示す第２の凸部の３４の下面３４ｄよりも下方（Ｚ２方向）に移動するまでの間、アクチュエーター４０に接圧が加えられた状態となる。
【０１０５】
そして、図１、図４に示すように、第１の凸部４４の上面４４ｄが、第２の凸部の３４の下面３４ｄよりも下方（Ｚ２方向）に移動することにより、第１の凸部４４の面４４ｃと、第２の凸部３４のアクチュエーター４０側の面３４ｃが離れるため、アクチュエーター４０に加えられていた接圧が失われる。
【０１０６】
これにより、アクチュエーター４０の左右方向（Ｘ１，Ｘ２方向）の幅は、接圧が加えられる前の幅に戻り、第１の凸部４４のアクチュエーター保持部３０側の面４４ｃは、第２の凸部３４の面３４ｃよりも外側（Ｘ１、Ｘ２方向側）となる。このため、第１の凸部４４の上面４４ｄと第２の凸部の３４の下面３４ｄは、図４に示すように上下方向（Ｚ１，Ｚ２方向）で少なくとも一部が重なる。
【０１０７】
本実施形態におけるコネクタ１は、第１の凸部４４が、アクチュエーター保持部３０の第２の凸部３４に係合することにより、アクチュエーター４０の上方向（Ｚ１方向）への動きが規制される。これにより、アクチュエーター４０のカム部４６が定位置（カム部４６の後端４６ａがストッパー７５の前面７５ａに位置する状態）からずれることが防がれる。
【０１０８】
また、本実施形態におけるコネクタ１は、本構成を有さないコネクタと異なり、アクチュエーター４０の定位置からずれ防止のための部品が不要である。このため、コネクタ１の構成の簡素化を実現することができる。また、コネクタ１の構成を簡素化できるため、アクチュエーター４０保持用の部品を別途取り付ける工程や、部品の費用が不要となる。
【０１０９】
以上、本発明の実施形態を説明してきたが、本発明は、上述した実施形態には限られない。例えば、上述した実施形態で説明した構成は、実質的に同一の構成、同一の作用効果を奏する構成、又は同一の目的を達成することができる構成により置き換えてもよい。
【０１１０】
例えば、第１の仮止め部４２と第２の仮止め部３２の位置は、図２，６乃至９に示した位置に限られず、カム部４６の所望の位置に応じて適宜調整することができる。例えば、第２の仮止め部３２の位置は溝Ｄの深さにより調整可能である。
【０１１１】
また、第１の仮止め部４２と第２の仮止め部３２は、凸状の構成に限られず、互いが係合するものであれば、一方が凹状の構成であってもよい。
【０１１２】
また、本実施形態に係るコネクタ１は、アクチュエーター保持部３０が凸状の構成を有していなくてもよい。具体的には、アクチュエーター保持部３０とアクチュエーター４０の係合箇所は、互いに段差が係合する構成であればよく、凸状の第１の凸部４４と第２の凸部３４に代えて、凸状の構成と、凹状の構成が係合するものであってもよい。
【０１１３】
さらに、第１の凸部４４と第２の凸部３４の位置は、図に示した位置に限られず、カム部４６の所望の位置に応じて適宜調整することができる。例えば、カム部４６の所望の位置に応じて第２の凸部３４の上下方向の幅を適宜調整することができる。
【０１１４】
なお、本実施形態に係るコネクタ１においては、図４，５に示すように一種類の端子６０のみが例示されているが、端子６０の構成は図４，５に示された構成のみに限られず、その他の構成であってもよい。例えば、端子６０は、前下ビーム７８に、コネクタ１の外部の図示しない回路基板に固定するための固定部を含む構成であってもよい。
【符号の説明】
【０１１５】
１  コネクタ、８  ハウジング、１０  収納部、１２、１４  側壁、１６  天板、１６ａ  前端、１８  底部、１８ａ  上面、１８ａ１  上面、１８ｂ  後端、１８ｃ  前端、１８ｄ  下面、３０  アクチュエーター保持部、３２  第２の仮止め部、３２ａ  前端、３２ｂ  斜面、３２ｂ１  後端、３４  第２の凸部、３４ｄ  下面、４０  アクチュエーター、４２  第１の仮止め部、４２ａ  後端、４２ｂ  前面、４２ｃ  面、４４  第１の凸部、４４ｃ  面、４４ｄ  上面、４６  カム部、４６ａ  後端、４６ｂ  前端、４８  操作部、５０  孔部、６０  端子、６２  基部、６２ａ  上端、６２ｂ  下端、６２ｃ  下面、６４  後上ビーム、６８  前上ビーム、７４  後下ビーム、７４ａ  ストレート部分、７４ａ１  後端、７４ｂ  下面、７５  ストッパー、７６  固定部、７６ａ  下面、７６ｂ  前面、７８  前下ビーム、７８ａ  接触点、７８ｂ  下面、７８ｂ１  前端、７８ｃ  前端、Ｃ  隙間、Ｄ  溝。
【図１】
2015128010.tif 000003
【図２】
2015128010.tif 000004
【図３】
2015128010.tif 000005
【図４】
2015128010.tif 000006
【図５】
2015128010.tif 000007
【図６】
2015128010.tif 000008
【図７Ａ】
2015128010.tif 000009
【図７Ｂ】
2015128010.tif 000010
【図８Ａ】
2015128010.tif 000011
【図８Ｂ】
2015128010.tif 000012
【図９】
2015128010.tif 000013